(57)【特許請求の範囲】
【請求項１】
モップとバケツを備えた清掃用具であって、
前記モップは、
先端が回転自在に構成されたモップ柄と、
前記モップ柄の先端に取り付けられ、矩形状を有するモップヘッドと、を備え、
前記バケツは、
前記モップヘッドのモップ糸束に含まれる水を収集するバケツ本体と、
前記バケツ本体の内部に設けられ、当該バケツ本体に対して回転自在に構成された脱水カゴと、を備え、
前記脱水カゴの内側面には、対向する一対の溝が形成され、
前記溝は、前記溝の径方向外側に設けられ、前記モップヘッドの一端を載置して支持する支持部を備え、
前記一対の溝の各々には、前記モップヘッドの一端が挿入されて前記支持部に支持され、
前記脱水カゴの内側面には、前記一対の溝が複数対形成され、
前記複数対の溝における前記支持部は同じ高さに設けられていることを特徴とする、清掃用具。
【請求項２】
前記一対の溝における溝間距離は、前記モップヘッドの長さに適合し、
前記複数対の溝において、前記溝間距離が異なることを特徴とする、請求項１に記載の清掃用具。
【請求項３】
前記溝は、前記溝の径方向内側に設けられ、前記モップヘッドの一端を前記支持部にガイドするガイド部を備えることを特徴とする、請求項１又は２に記載の清掃用具。
【請求項４】
前記バケツ本体の内部には、底面より突起した突起部が設けられ、
前記突起部は、前記モップヘッドの一端が前記支持部に支持された際、当該モップヘッドの中央部を支持することを特徴とする、請求項１〜３のいずれか一項に記載の清掃用具。
【請求項５】
前記モップヘッドは、前記モップ柄に対して着脱自在に構成されていることを特徴とする、請求項１〜４のいずれか一項に記載の清掃用具。
【請求項６】
前記モップ柄は、外ロッドと内ロッドを相対的に移動させて伸縮自在に構成された伸縮ロッドを備え、
前記モップは、前記外ロッドの内部と前記内ロッドの内部に亘って設けられ、前記外ロッドと前記内ロッドの相対的な移動を前記内ロッドの回転移動に変換する駆動機構を備えることを特徴とする、請求項１〜５のいずれか一項に記載の清掃用具。
【発明の詳細な説明】
【技術分野】
【０００１】
本発明は、モップとバケツを備えた清掃用具に関する。
【背景技術】
【０００２】
従来、床等を清掃するため、モップを清掃用具として利用することが一般的である。また、モップを使用した後には、当該モップの先端に取り付けられたモップ糸束を脱水する。この際、使用者がモップ糸束を手で絞って脱水しようとすると、使用者の負担が大きくなるため、モップ糸束を回転させて遠心脱水するモップが用いられている。
【０００３】
例えば特許文献１に開示された清掃用具は、モップと、当該モップの水切りバケツとを備えている。モップは操作部材と伸縮部材を備え、伸縮部材は操作部材に対して伸縮可能且つ回転可能に連結されている。伸縮部材には、当該伸縮部材と共に回転自在に設けられた円盤状のヘッド保持部材が設けられ、さらにヘッド保持部材には、繊維束を備えたヘッドが取り付けられる。水切りバケツは、バケツ本体と、回転可能な水切り籠とを備えている。そして、水切り籠に繊維束を収容した状態で、操作部材を押し下げて伸縮部材を回転させることで、回転時の遠心力により繊維束の脱水が行われる。
【０００４】
しかしながら、このような円盤状のモップヘッドを用いた場合、部屋の隅、家具の隙間、家具の下等にモップヘッドが充分に行き届かず、汚れやゴミが残ることがある。
【０００５】
そこで、例えば特許文献２には、矩形状のモップヘッドが提案されている。具体的にモップは、矩形状のモップヘッドと、当該モップヘッドに連結されたモップ柄とを備えている。モップ柄は外管と内管を備え、外管に対して内管が回転自在に構成されている。またモップは、洗浄バケツにより洗浄される。洗浄バケツは、バケツ本体と脱水カゴを備えている。モップヘッドの中央部には軸受部が設けられ、脱水カゴの中央部には支持軸が設けられ、軸受部に支持軸が挿入されて、モップヘッドが脱水カゴに回転自在に軸支される。そしてこの状態で、モップの内管と共にモップヘッドを回転させることで、回転時の遠心力によりモップヘッドのモップ糸束が脱水される。
【先行技術文献】
【特許文献】
【０００６】
【特許文献１】特開２０１２−８１２０９号公報
【特許文献２】特開２０１３−１３８８４９号公報
【発明の概要】
【発明が解決しようとする課題】
【０００７】
しかしながら、特許文献２に開示のモップ及び洗浄バケツを用いた場合、モップヘッドは脱水カゴに対して中央部の一点のみで支持されているため、モップ糸束の脱水時にモップヘッドを回転させる際、例えばモップヘッドの外周が上下方向に移動して回転ブレを起こし、回転が安定しない。かかる場合、モップ糸束が適切に脱水できず、また使用者に過度な負担がかかる。したがって、従来の清掃用具には改善の余地がある。
【０００８】
本発明は、かかる点に鑑みてなされたものであり、清掃用具のモップヘッドを安定して回転させ、当該モップヘッドに取り付けらえたモップ糸束の脱水を適切に行うことを目的とする。
【課題を解決するための手段】
【０００９】
前記の目的を達成するため、本発明は、モップとバケツを備えた清掃用具であって、前記モップは、先端が回転自在に構成されたモップ柄と、前記モップ柄の先端に取り付けられ、矩形状を有するモップヘッドと、を備え、前記バケツは、前記モップヘッドのモップ糸束に含まれる水を収集するバケツ本体と、前記バケツ本体の内部に設けられ、当該バケツ本体に対して回転自在に構成された脱水カゴと、を備え、前記脱水カゴの内側面には、対向する一対の溝が形成され、前記溝は、前記溝の径方向外側に設けられ、前記モップヘッドの一端を載置して支持する支持部を備え、前記一対の溝の各々には、前記モップヘッドの一端が挿入されて前記支持部に支持され、前記脱水カゴの内側面には、前記一対の溝が複数対形成され、前記複数対の溝における前記支持部は同じ高さに設けられていることを特徴としている。
【００１０】
本発明の清掃用具において、使用したモップの洗浄後にモップヘッドに取り付けられたモップ糸束を脱水する際には、先ず、モップヘッドの両端を脱水カゴの一対の溝に挿入する。そして、モップヘッドの両端が一対の溝に支持され、モップ糸束が脱水カゴに収容された状態で、モップヘッドを回転させる。そうすると、回転時の遠心力によってモップ糸束が脱水される。かかる場合、モップヘッドの両端が一対の溝に支持されているので、回転ブレが起きることなく、モップヘッドの回転が安定する。その結果、モップ糸束を適切に脱水することができる。
【００１１】
しかも本発明によれば、モップヘッドが矩形状を有するため、清掃対象の床等を隅々まで適切に清掃することができる。
【００１３】
前記清掃用具において、前記一対の溝における溝間距離は、前記モップヘッドの長さに適合し、前記複数対の溝において、前記溝間距離が異なっていてもよい。
【００１４】
前記清掃用具において、前記溝は、前記溝の径方向内側に設けられ、前記モップヘッドの一端を前記支持部にガイドするガイド部を備えていてもよい。
【００１５】
前記清掃用具において、前記バケツ本体の内部には、底面より突起した突起部が設けられ、前記突起部は、前記モップヘッドの一端が前記支持部に支持された際、当該モップヘッドの中央部を支持してもよい。
【００１６】
前記清掃用具において、前記モップヘッドは、前記モップ柄に対して着脱自在に構成されていていてもよい。
【００１７】
前記清掃用具において、前記モップ柄は、外ロッドと内ロッドを相対的に移動させて伸縮自在に構成された伸縮ロッドを備え、前記モップは、前記外ロッドの内部と前記内ロッドの内部に亘って設けられ、前記外ロッドと前記内ロッドの相対的な移動を前記内ロッドの回転移動に変換する駆動機構を備えていてもよい。
【発明の効果】
【００１８】
本発明によれば、清掃用具のモップヘッドを安定して回転させ、当該モップヘッドに取り付けらえたモップ糸束の脱水を適切に行うことができる。
【図面の簡単な説明】
【００１９】
【図１】清掃用具の構成を示す斜視図である。
【図２】モップを分解した構成部材を示す斜視図である。
【図３】伸縮ロッドの内部構成を示す断面図である。
【図４】バケツ本体の構成を示す斜視図である。
【図５】脱水カゴを上方から見た構成を示す斜視図である。
【図６】脱水カゴを下方から見た構成を示す斜視図である。
【図７】脱水カゴの構成を示す平面図である。
【図８】バケツの構成を示す断面図である。
【発明を実施するための形態】
【００２０】
以下、本発明の実施形態について図面を参照して説明する。なお、本明細書及び図面において、実質的に同一の機能構成を有する構成要素については、同一の符号を付することにより重複説明を省略する。
【００２１】
＜清掃用具１の構成＞
先ず、本実施形態にかかる清掃用具の構成について説明する。図１は、清掃用具１の構成を示す斜視図である。図１に示すように清掃用具１は、モップ２と、モップ２を水切りするためのバケツ３を備えている。
【００２２】
（モップ２の構成）
モップ２の構成について説明する。図２は、モップ２を分解した構成部材を示す斜視図である。図３は、後述する伸縮ロッド２１の内部構成を示す断面図である。
【００２３】
図１及び図２に示すようにモップ２は、モップ柄１０と、モップ柄１０の先端に着脱自在に設けられたモップヘッド１１とを備えている。
【００２４】
モップヘッド１１は、平面視において略矩形状を有し、下面及び両側面が開口した略直方体形状を有している。モップヘッド１１の下面開口部には、モップ糸束１２が取り付けられている。モップ糸束１２は、モップヘッド１１に対して固定して設けられていてもよいし、着脱自在に設けられていてもよい。
【００２５】
モップ柄１０はグリップロッド２０と伸縮ロッド２１を備え、さらに伸縮ロッド２１は外ロッド２２と内ロッド２３を備えている。これらグリップロッド２０、外ロッド２２及び内ロッド２３は、この順で接続されている。グリップロッド２０、外ロッド２２及び内ロッド２３はそれぞれ、中空の棒状部材である。グリップロッド２０の外径と外ロッド２２の外径は同じであり、外ロッド２２の内径は内ロッド２３の外径より大きい。また、グリップロッド２０、外ロッド２２及び内ロッド２３の材料は特に限定されるものではないが、例えばステンレスやアルミが用いられる。なお、伸縮ロッド２１の先端には、後述するようにモップヘッド１１を取り付けるためのクランプ機構６０が設けられている。
【００２６】
グリップロッド２０の上端（基端）には、例えばモップ２を壁等にかけて保管するための吊下部３０が設けられている。グリップロッド２０の下端（先端）には、使用者が把持可能なグリップ部３１が設けられている。グリップ部３１は、中空の略円筒形状を有するスリーブである。このグリップ部３１にグリップロッド２０の下端と外ロッド２２の上端（基端）がそれぞれ挿入され、当該グリップロッド２０と外ロッド２２が接続される。
【００２７】
図２及び図３に示すように伸縮ロッド２１において、上述したように外ロッド２２の内径は内ロッド２３の外径より大きく、外ロッド２２の内部に内ロッド２３が挿入されて、外ロッド２２と内ロッド２３は相対的に移動自在に構成されている。そして、内ロッド２３に対して外ロッド２２が移動することで、伸縮ロッド２１は伸縮する。
【００２８】
外ロッド２２の下端（先端）には、ロック機構４０が挿入されて設けられている。ロック機構４０は、内ロッド２３に対する外ロッド２２の移動、及び後述する内ロッド２３の回転移動を制御する。ロック機構４０は、中空の略円筒形状を有するスリーブ４１と、スリーブ４１に設けられた一対の支持板４２、４２と、一対の支持板４２、４２の間に取り付けられる取手４３とを備えている。取手４３は一対の支持板４２、４２の間においてヒンジで接続され、このヒンジを中心に回動自在に構成されている。また、取手４３の表面には、当該表面から突出したバンプが設けられている。
【００２９】
例えば取手４３を内ロッド２３側（下側）に回動させると、すなわち取手４３を開くと、取手４３のバンプがスリーブ４１と反対側に位置し、取手４３はスリーブ４１を押圧しない。そうすると、ロック機構４０のロックが解除され、かかる場合、内ロッド２３に対して外ロッド２２は移動自在になり、また内ロッド２３も回転自在になる。一方、例えば取手４３を外ロッド２２側（上側）に回動させると、すなわち、取手４３を閉じると、取手４３のバンプがスリーブ４１と接触し、取手４３はスリーブ４１を介して外ロッド２２を押圧する。そうすると、ロック機構４０のロックが作用して、かかる場合、内ロッド２３に対して外ロッド２２は固定され、また内ロッド２３の回転もできなくなる。
【００３０】
なお、ロック機構４０の構成は本実施形態に限定されない。例えば、取手４３を用いたロック機構４０に代えて、スリーブ４１と、外ロッド２２及び内ロッド２３とを貫通するネジを用いてもよい。かかる場合、スリーブ４１、外ロッド２２及び内ロッド２３をネジ止めすることで、ロック機構のロックが作用する。一方、ネジを取り外すことで、ロック機構のロックが解除される。
【００３１】
伸縮ロッド２１の内部には、内ロッド２３を回転させるための駆動機構５０が設けられている。駆動機構５０は、外ロッド２２の内部と内ロッド２３の内部に亘って設けられ、外ロッド２２と内ロッド２３の相対的な移動を内ロッド２３の回転移動に変換する。
【００３２】
駆動機構５０は、らせん状に形成されたシャフト５１と、シャフト５１の上端（基端）に設けられた固定部５２と、シャフト５１を挿通して設けられた係止部５３とを備えている。シャフト５１は、外ロッド２２の内部から内ロッド２３の内部まで延伸して設けられている。固定部５２は、外ロッド２２の内側面に対して固定されている。なお。固定部５２は外ロッド２２に対して固定されていればよく、例えば外ロッド２２の上端（基端）に固定されていてもよい。係止部５３は、内ロッド２３の上端（基端）に固定されている。係止部５３の内部には、上部ブロックと下部ブロックが設けられている。上部ブロックは、下部ブロックに対して離間又は近接する方向に移動自在に構成されている。下部ブロックは、係止部５３と一体に設けられ、移動しない。また、上部ブロックの内部と下部ブロックの内部にはそれぞれ、らせん状の貫通孔が形成され、シャフト５１は当該貫通孔を挿通して設けられている。
【００３３】
例えば図１及び図３に示したように外ロッド２２を内ロッド２３の上方に配置した状態において、伸縮ロッド２１を動作させる場合について説明する。外ロッド２２を下方に移動させて伸縮ロッド２１を縮小させた場合、外ロッド２２と共にシャフト５１が下方に移動する。この際、シャフト５１の下方移動に伴い、係止部５３の上部ブロックも下方に移動し、下部ブロックに係止される。そして、シャフト５１による上部ブロックの回転移動が下部ブロックに伝達され、係止部５３が回転し、さらに内ロッド２３も回転する。一方、外ロッド２２を上方に移動させて伸縮ロッド２１を伸長させた場合、外ロッド２２と共にシャフト５１が上方に移動する。この際、シャフト５１の上方移動に伴い、係止部５３の上部ブロックも上方に移動し、下部ブロックから離間する。そうすると、シャフト５１による上部ブロックの回転移動が下部ブロックに伝達されず、係止部５３は回転せず、内ロッド２３も回転しない。このように、外ロッド２２を下方に移動させると内ロッド２３が回転し、外ロッド２２を上方に移動させると内ロッド２３は回転しない。
【００３４】
図１及び図２に示すように内ロッド２３の下端（先端）には、モップ柄１０にモップヘッド１１を取り付けるためのクランプ機構６０が設けられている。クランプ機構６０は、第１のクランプ部６１と第２のクランプ部６２を備え、第１のクランプ部６１と第２のクランプ部６２でモップヘッド１１を挟み込んで保持するように構成されている。
【００３５】
第１のクランプ部６１は、側面視において略Ｔ字形状を有している。第１のクランプ部６１の上部６１ａの上端（基端）は、内ロッド２３に接続される。また、上部６１ａの下端（先端）において第２のクランプ部６２側は、第２のクランプ部６２とヒンジで接続されるように開口している。第１のクランプ部６１の下部６１ｂは、上部６１ａの長軸に直交する方向に延伸し、内側にモップヘッド１１を収容できるように構成されている。
【００３６】
第２のクランプ部６２も、側面視において略Ｔ字形状を有している。第２のクランプ部６２の上部６２ａは、第１のクランプ部６１の上部６１ａの開口部においてヒンジで接続され、このヒンジを中心に回動自在に構成されている。また、上部６２ａは、ヒンジより上方において第１のクランプ部６１の上部６１ａより離間するように屈曲している。第２のクランプ部６２の下部６２ｂは、第１のクランプ部６１の下部６１ｂと同様の構成を有し、上部６２ａの長軸に直交する方向に延伸し、内側にモップヘッド１１を収容できるように構成されている。
【００３７】
第１のクランプ部６１と第２のクランプ部６２は、上部６１ａ、６２ａが互いに離間し、下部６１ｂ、６２ｂが互いに近接するように、例えばバネによって付勢されている。そして、モップ柄１０にモップヘッド１１を取り付ける際には、上部６１ａ、６２ａを互いに近接させ、下部６１ｂ、６２ｂを互いに離間させて、当該下部６１ｂ、６２ｂの間にモップヘッド１１を挿入する。続いて、上部６１ａ、６２ａを互いに離間させ、下部６１ｂ、６２ｂを互いに近接させて、当該下部６１ｂ、６２ｂでモップヘッド１１を挟み込んで保持する。このようにクランプ機構６０は、モップヘッド１１を着脱自在に構成されている。
【００３８】
クランプ機構６０は、内ロッド２３の下端（先端）に着脱自在に接続される。内ロッド２３の下端には、内側面にネジ山が形成されたネジ部６３が設けられている。また、第１のクランプ部６１の上端にもネジ山が形成され、このネジ山に対してネジ部６３のネジ山が螺合することで、第１のクランプ部６１と内ロッド２３が固定される。
【００３９】
また、第１のクランプ部６１の上端には径方向に対向する一対の貫通孔が形成され、内ロッド２３の下端にも径方向に対向する一対の貫通孔が形成されている。そして、第１のクランプ部６１の貫通孔と内ロッド２３の貫通孔を挿通するようにピン６４が設けられ、第１のクランプ部６１と内ロッド２３が固定される。ピン６４は、上記貫通孔を挿通するピン部材と、ピン部材を支持する支持部材とを備えている。支持部材は平面視において略Ｃ字形状を有し、第１のクランプ部６１の上端に取り付けられるように構成されている。
【００４０】
このようにクランプ機構６０は、ネジ部６３によるネジ固定と、ピン６４によるピン固定とによって内ロッド２３に対して固定される。換言すれば、クランプ機構６０は内ロッド２３に対して着脱自在に構成され、組み立て及び分解を容易に行うことができる。また、このようにクランプ機構６０が着脱自在に構成されているので、当該クランプ機構６０の包装や輸送に利点がある。
【００４１】
なお、クランプ機構６０の構成は本実施形態に限定されず、内ロッド２３に対して着脱自在であれば、設計者が任意に設計することができる。例えば、クランプ機構６０は、ピン固定のみで内ロッド２３に対して固定されてもよい。
【００４２】
（バケツ３の構成）
バケツ３の構成について説明する。図４は、後述するバケツ本体７０の構成を示す斜視図である。図５は、後述する脱水カゴ８０を上方から見た構成を示す斜視図である。図６は、後述する脱水カゴ８０を下方から見た構成を示す斜視図である。図７は、後述する脱水カゴ８０の構成を示す平面図である。図８は、バケツ３の構成を示す断面図である。
【００４３】
図１に示すようにバケツ３は、モップヘッド１１のモップ糸束１２に水を収集するバケツ本体７０と、バケツ本体７０の内部に設けられ、当該バケツ本体７０に対して回転自在に構成された脱水カゴ８０とを備えている。
【００４４】
図４及び図８に示すようにバケツ本体７０は、有底の略円筒形状を有している。バケツ本体７０の内部において底面中央部には、当該底面より上方に突起した突起部７１が設けられている。突起部７１の上面には、さらに上方に延伸する支持軸７２が設けられている。
【００４５】
バケツ本体７０の外側面の上端には、取手７３が設けられている。また、バケツ本体７０の外側面の下端には、バケツ本体７０で収集した水を排出する排出口７４が形成されている。排出口７４には通常時に止水蓋が取り付けられ、排水時に止水蓋が取り外されて排出口７４から水が排出される。なお、止水蓋は蓋係止部７５に取り付けられている。
【００４６】
図５〜図８に示すように脱水カゴ８０は、上面が開口した略円筒形状を有している。脱水カゴ８０の側面及び底面には、モップ糸束１２から除去された水を通過させるための水通過孔８１が複数形成されている。水通過孔８１の数や配置は任意であり、設計者が任意に設計することができる。
【００４７】
脱水カゴ８０の内側面には、対向する一対の溝８２、８２が形成されている。本実施形態において一対の溝８２、８２は複数対、例えば２対形成されている。これら２対の溝８２、８２は平面視において十字に形成され、すなわち４つの溝８２が円周方向に９０度間隔で形成されている。
【００４８】
溝８２は、脱水カゴ８０の内側面から径方向外側に突出するように形成されている。すなわち、溝８２の径は脱水カゴ８０の径より大きい。そして、脱水カゴ８０の上面は、溝８２が形成されるように径方向外側に張り出して形成されている。
【００４９】
溝８２は、脱水カゴ８０の上端から下端まで延伸して形成されている。なお、溝８２の下端の位置は本実施形態に限定されず、例えば脱水カゴ８０の下端に達していなくてもよい。溝８２は上部溝８２ａと下部溝８２ｂに分けられ、上部溝８２ａと下部溝８２ｂには段部である支持部８３が形成されている。すなわち、上部溝８２ａ、８２ａ間の径は、下部溝８２ｂ、８２ｂ間の径よりも大きい。
【００５０】
溝８２にはモップヘッド１１の一端が挿入され、当該モップヘッド１１の一端は支持部８３に支持される。したがって、図７及び図８に示すように、支持部８３、８３間の外径Ｄ１（上部溝８２ａ、８２ａ間の径）は、モップヘッド１１の長軸方向の長さＬより大きい。また、支持部８３、８３間の内径Ｄ２（下部溝８２ｂ、８２ｂ間の径）は、モップヘッド１１の長さＬより小さい。なお、本実施形態では、支持部８３の外径Ｄ１と内径Ｄ２の中間値が本発明における溝間距離に相当し、当該溝間距離はモップヘッド１１の長さＬに適合している。
【００５１】
図５〜図８に示すように溝８２の径方向内側には、モップヘッド１１の一端を溝８２に挿入する際に、当該モップヘッド１１をガイドするガイド部８４が設けられている。ガイド部８４は、溝８２の径方向内側の開口部において対向するように一対に設けられている。各ガイド部８４の上端は、開口部の外側から内側に向けて下方に傾斜している。そして、モップヘッド１１の一端を溝８２に挿入する際、モップヘッド１１が所定の位置からずれていても、当該モップヘッド１１の一端を一対のガイド部８４、８４の間にガイドすることができる。なお、ガイド部８４は、溝８２の上端から下端まで延伸して設けられている。
【００５２】
脱水カゴ８０の底面中央部には、当該底面より上方に突起した突起部８５が設けられている。突起部８５は、バケツ本体７０の突起部７１と同様の形状を有している。突起部８５の内部には、バケツ本体７０の支持軸７２を挿入するための挿入孔８６が形成されている。そして、支持軸７２を挿入孔８６に挿入して脱水カゴ８０を配置することで、当該脱水カゴ８０がバケツ本体７０に軸支される。またこの際、支持軸７２が挿入孔８６より十分に長く設けられており、脱水カゴ８０の突起部８５とバケツ本体７０の突起部７１が干渉することはない。
【００５３】
バケツ３は以上のように構成されおり、脱水カゴ８０は、バケツ本体７０に軸支された状態で回転自在に構成されている。
【００５４】
＜清掃用具１の使用方法及び脱水方法＞
次に、以上のように構成された清掃用具１の使用方法及び脱水方法について説明する。
【００５５】
（清掃用具１の使用方法）
清掃用具１を用いて床等を清掃する際には、ロック機構４０のロックを解除した状態で、外ロッド２２を上方に移動させて伸縮ロッド２１を伸長させる。そして、ロック機構４０のロックを再び作用させて、内ロッド２３に対して外ロッド２２を固定し、また内ロッド２３の回転もできなくする。
【００５６】
この状態のモップ２を用いて、床等を清掃する。かかる場合、モップヘッド１１が略矩形状を有するので、床等を隅々まで適切に清掃することができる。
【００５７】
（清掃用具１の脱水方法）
次に、使用したモップ２の洗浄後に、モップ糸束１２を脱水する方法について説明する。先ず、ロック機構４０のロックを解除し、内ロッド２３に対して外ロッド２２を移動自在にし、また内ロッド２３も回転自在にする。
【００５８】
次に、外ロッド２２を内ロッド２３の上方に配置した状態で、モップヘッド１１の両端を脱水カゴ８０の一対の溝８２、８２に挿入する。そうすると、モップヘッド１１の両端が一対の溝８２、８２に支持され、且つモップ糸束１２が脱水カゴ８０に収容される。
【００５９】
続いて、グリップロッド２０と外ロッド２２を下方に移動させると、内ロッド２３が回転する。また、内ロッド２３の回転に伴い、モップヘッド１１及びモップ糸束１２と脱水カゴ８０も回転する。そして、回転時の遠心力によりモップ糸束１２から水分が除去され、脱水される。除去された水は、バケツ本体７０に回収される。
【００６０】
次に、グリップロッド２０と外ロッド２２を上方に移動させると、内ロッド２３は回転しない。したがって、モップ糸束１２と脱水カゴ８０は、逆回転することがない。
【００６１】
そして、外ロッド２２の上下移動を繰り返し行うことで、モップヘッド１１と脱水カゴ８０が一方向に繰り返し回転し、モップ糸束１２が脱水される。
【００６２】
以上の実施形態によれば、モップ糸束１２の脱水時に、モップヘッド１１の両端が一対の溝８２、８２に挿入されて支持されるので、回転ブレが起きることなく、モップヘッド１１の回転が安定する。その結果、モップ糸束１２を適切に脱水することができる。
【００６３】
また、以上の実施形態の脱水カゴ８０には、一対の溝８２、８２が２対形成さされているので、いずれの対の溝８２、８２にもモップヘッド１１の両端を挿入することができる。したがって、使用者の利便性が向上する。
【００６４】
ここで、モップヘッド１１の長さＬはメーカーによって異なる場合がある。かかる場合であっても、支持部８３、８３間の外径Ｄ１はモップヘッド１１の長さＬより大きいので、メーカー毎のモップヘッド１１の長さの差異分を吸収して、一対の溝８２、８２はモップヘッド１１の両端を支持することができる。
【００６５】
なお、本実施形態では、一対の溝８２、８２が２対形成されているので、第１の一対の溝８２、８２における支持部８３、８３間の外径Ｄ１と、第２の一対の溝８２、８２における支持部８３、８３間の外径Ｄ１とが異なっていてもよい。かかる場合、モップヘッド１１の長さＬが異なっている場合に対して、より適切に対応することができる。また、第１の一対の溝８２、８２と第２の一対の溝８２、８２を色分けしてもよい。かかる場合、視認性が高まり、利用者の利便性が向上する。
【００６６】
＜他の実施形態＞
以上の実施形態では、一対の溝８２、８２は２対形成されていたが、一対の溝８２、８２の数はこれに限定されない。例えば一対の溝８２、８２は、３対以上形成されていてもよい。
【００６７】
また、バケツ本体７０の突起部７１の上面が、脱水カゴ８０の支持部８３と同じ高さになるように、当該突起部７１を設けてもよい。かかる場合、モップヘッド１１の両端を一対の溝８２、８２で支持する際、モップヘッド１１の中央部が突起部７１に支持される。すなわち、モップヘッド１１は３点で支持される。かかる場合、モップ糸束１２の脱水時において、モップヘッド１１の回転がさらに安定する。
【００６８】
以上、添付図面を参照しながら本発明の好適な実施形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００６９】
本発明にかかる清掃用具はモップとバケツを備え、床等を清掃する際に有用である。
【符号の説明】
【００７０】
１    清掃用具
２    モップ
３    バケツ
１０  モップ柄
１１  モップヘッド
１２  モップ糸束
２０  グリップロッド
２１  伸縮ロッド
２２  外ロッド
２３  内ロッド
３０  吊下部
３１  グリップ部
４０  ロック機構
４１  スリーブ
４２  支持板
４３  取手
５０  駆動機構
５１  シャフト
５２  固定部
５３  係止部
６０  クランプ機構
６１  第１のクランプ部
６２  第２のクランプ部
６３  ネジ部
６４  ピン
７０  バケツ本体
７１  突起部
７２  支持軸
７３  取手
７４  排出口
７５  蓋係止部
８０  脱水カゴ
８１  水通過孔
８２  溝
８３  支持部
８４  ガイド部
８５  突起部
８６  挿入孔
【要約】
【課題】清掃用具のモップヘッドを安定して回転させ、当該モップヘッドに取り付けらえたモップ糸束の脱水を適切に行う。
【解決手段】清掃用具１は、モップ２とバケツ３を備える。モップ２は、先端が回転自在に構成されたモップ柄１０と、モップ柄１０の先端に取り付けられ、矩形状を有するモップヘッド１１とを備える。バケツ３は、モップヘッド１１のモップ糸束１２に含まれる水を収集するバケツ本体７０と、バケツ本体７０の内部に設けられ、当該バケツ本体７０に対して回転自在に構成された脱水カゴ８０とを備える。脱水カゴ８０の内側面には、対向する一対の溝８２、８２が形成され、一対の溝８２、８２の各々には、モップヘッド１１の一端が挿入されて支持される。
【選択図】図１【図１】
0006923235.tif 000002
【図２】
0006923235.tif 000003
【図３】
0006923235.tif 000004
【図４】
0006923235.tif 000005
【図５】
0006923235.tif 000006
【図６】
0006923235.tif 000007
【図７】
0006923235.tif 000008
【図８】
0006923235.tif 000009